(57)【特許請求の範囲】
【請求項１】
複数の電線の一端側に設けたコネクタを保持するコネクタ保持部と、
グロメットを保持するグロメット保持部と、
前記コネクタ保持部と前記グロメット保持部との間に配置し、前記コネクタ保持部から延びる前記複数の電線を前記グロメット保持部によって保持した前記グロメット内の所定の位置に挿通するようにガイドする電線ガイド部と、
前記コネクタ保持部と、前記グロメット保持部と、前記電線ガイド部とを、直線状に並べつつ、少なくとも前記グロメット保持部と、前記電線ガイド部と、をスライド移動可能に支持するスライド移動支持部と、
を有し、
前記電線ガイド部は、
スライド移動方向に沿って直線状に延びることによって前記複数の電線を前記グロメットに挿通するようにガイドする複数の電線ガイド溝を有し、
前記コネクタ保持部によって保持した前記コネクタからの前記複数の電線を前記電線ガイド溝を通して前記グロメットに挿通した状態で、前記グロメット保持部を前記電線ガイド部とともに前記グロメット保持部、前記電線ガイド部、および、前記コネクタ保持部をスライド方向で隣り合うもの同士当接した状態になるまで前記コネクタ保持部に向けてスライド移動することによって、前記グロメットを位置決め配置する
ことを特徴とするグロメット電線挿通冶具。
【請求項２】
前記グロメット保持部、前記電線ガイド部、および、前記コネクタ保持部をスライド方向で隣り合うもの同士当接した状態で前記グロメットを位置決めするように、前記コネクタ保持部または前記電線ガイド部のいずれか一方からスライド移動方向に一部を突出するように設けた位置決め当接部を有する
ことを特徴とする請求項１に記載のグロメット電線挿通冶具。
【請求項３】
前記電線ガイド部は、
前記電線ガイド溝の溝開口を開閉するように可動する可動式蓋部を有する
ことを特徴とする請求項１または２に記載のグロメット電線挿通冶具。
【請求項４】
前記電線ガイド部は、
前記電線ガイド溝を形成した電線ガイド本体部と、
前記電線ガイド本体部に可動可能に取り付け、前記電線ガイド本体部との間に配置した板状の前記可動式蓋部に重なる面に前記電線ガイド溝を形成した可動式ガイド溝部と、
を有し、
前記可動式ガイド溝部とともに前記可動式蓋部を動かすことによって、前記可動式ガイド溝部および前記電線ガイド本体部にそれぞれ形成した前記電線ガイド溝の前記溝開口を開閉する
ことを特徴とする請求項３に記載のグロメット電線挿通冶具。
【発明の詳細な説明】
【技術分野】
【０００１】
本発明は、コネクタから延びる複数の電線にグロメットを取り付ける作業を補助するグロメット電線挿通冶具に関する。
【背景技術】
【０００２】
従来、例えば、自動車の車体とドアとの間を配索する電線の保護部材としてグロメットを用いる。
このグロメットは、ドアを解放した際に、電線への浸水を防ぐため、あるいは、電線の損傷を防ぐために用いている。
【０００３】
ところで、複数の電線をグロメット内にランダムに挿入するすると。電線の捩れや、交差が発生し、耐屈曲性が低下し、電線を損傷するおそれがある。
このため、特許文献１には、電線の捩れを発生しないグロメットの電線挿通方法が記載されている。
【先行技術文献】
【特許文献】
【０００４】
【特許文献１】特開２００２−３６９３５０号公報
【発明の概要】
【発明が解決しようとする課題】
【０００５】
しかしながら、特許文献１に記載されたグロメットの電線挿通方法は、グロメットに複数の電線を挿通した後にグロメットを所定位置に移動する場合、予め、電線束の一部をテープ巻きして束ねておかなければならず、しかも、グロメットの位置決めを行わなければならないため作業が煩雑であった。
【０００６】
本発明は、上記に鑑みてなされたものであって、複数の電線が捩れることなくグロメットを容易に位置決め配置することができるグロメット電線挿通冶具を提供することを目的とする。
【課題を解決するための手段】
【０００７】
上述した課題を解決し、目的を達成するために、本発明の請求項１に係るグロメット電線挿通冶具は、複数の電線の一端側に設けたコネクタを保持するコネクタ保持部と、グロメットを保持するグロメット保持部と、前記コネクタ保持部と前記グロメット保持部との間に配置し、前記コネクタ保持部から延びる前記複数の電線を前記グロメット保持部によって保持した前記グロメット内の所定の位置に挿通するようにガイドする電線ガイド部と、前記コネクタ保持部と、前記グロメット保持部と、前記電線ガイド部とを、直線状に並べつつ、少なくとも前記グロメット保持部と、前記電線ガイド部と、をスライド移動可能に支持するスライド移動支持部と、を有し、前記電線ガイド部は、スライド移動方向に沿って直線状に延びることによって前記複数の電線を前記グロメットに挿通するようにガイドする複数の電線ガイド溝を有し、前記コネクタ保持部によって保持した前記コネクタからの前記複数の電線を前記電線ガイド溝を通して前記グロメットに挿通した状態で、前記グロメット保持部を前記電線ガイド部とともに前記グロメット保持部、前記電線ガイド部、および、前記コネクタ保持部をスライド方向で隣り合うもの同士当接した状態になるまで前記コネクタ保持部に向けてスライド移動することによって、前記グロメットを位置決め配置することを特徴とする。
【０００８】
また、本発明の請求項２に係るグロメット電線挿通冶具は、上記の発明において、前記グロメット保持部、前記電線ガイド部、および、前記コネクタ保持部をスライド方向で隣り合うもの同士当接した状態で前記グロメットを位置決めするように、前記コネクタ保持部または前記電線ガイド部のいずれか一方からスライド移動方向に一部を突出するように設けた位置決め当接部を有することを特徴とする。
【０００９】
また、本発明の請求項３に係るグロメット電線挿通冶具は、上記の発明において、前記電線ガイド部が、前記電線ガイド溝の溝開口を開閉するように可動する可動式蓋部を有することを特徴とする。
【００１０】
また、本発明の請求項４に係るグロメット電線挿通冶具は、上記の発明において、前記電線ガイド部が、前記電線ガイド溝を形成した電線ガイド本体部と、前記電線ガイド本体部に可動可能に取り付け、前記電線ガイド本体部との間に配置した板状の前記可動式蓋部に重なる面に前記電線ガイド溝を形成した可動式ガイド溝部と、を有し、前記可動式ガイド溝部とともに前記可動式蓋部を動かすことによって、前記可動式ガイド溝部および前記電線ガイド本体部にそれぞれ形成した前記電線ガイド溝の前記溝開口を開閉することを特徴とする。
【発明の効果】
【００１１】
本発明の請求項１に係るグロメット電線挿通冶具は、前記グロメット保持部を前記電線ガイド部とともに、前記グロメット保持部、前記電線ガイド部、および、前記コネクタ保持部をスライド方向で隣り合うもの同士当接した状態になるまで前記コネクタ保持部に向けてスライド移動することによって、前記グロメットを位置決め配置することができ、しかも、前記グロメット保持部とともに前記電線ガイド部を一緒にスライド移動することによって、前記複数の電線を直線状、かつ、所定の位置に保持した状態を維持することができるので、複数の電線が捩れることなくグロメットを容易に位置決め配置することができる。
【００１２】
本発明の請求項２に係るグロメット電線挿通冶具は、前記位置決め当接部を前記コネクタ保持部または前記電線ガイド部のいずれか一方から一部を突出するように設けているので、前記コネクタ保持部と前記電線ガイド部との間に延びる前記複数の電線の周りに空間を確保することができ、作業者が複数の電線を取扱い易くすることができる。
【００１３】
本発明の請求項３に係るグロメット電線挿通冶具は、前記可動式蓋部によって前記溝開口を閉じることによって前記電線ガイド溝から前記電線が外れることを阻止することができ、前記溝開口を開けるように前記可動式蓋部を動かすことによって、前記電線を前記電線ガイド溝内から容易に取り出すことができる。
【００１４】
本発明の請求項４に係るグロメット電線挿通冶具は、前記可動式蓋部の両面を使って前記電線ガイド溝の前記溝開口を開閉することができるので、前記電線ガイド溝を行列配置することができ、結果的に、前記コネクタに行列配置で設けた前記電線を前記電線ガイド溝によって前記グロメット内の所定の位置に挿通することができる。
【図面の簡単な説明】
【００１５】
【図１】図１は、本発明の実施例に係るグロメット電線挿通冶具の斜視図である。
【図２】図２は、（ａ）がグロメットを保持した状態のグロメット保持部を電線ガイド部側から視た図であり、（ｂ）がグロメットを保持したグロメット保持部周辺の斜視図である。
【図３】図３は、グロメット電線挿通冶具の電線ガイド部周辺の斜視図であり、可動式ガイド溝部および可動式蓋部を各ガイド溝から電線を取り出せるように動かした状態を示した図である。
【図４】図４は、グロメット電線挿通冶具のコネクタ保持部周辺の斜視図である。
【図５】図５は、グロメットの斜視図である。
【図６】図６は、（ａ）が作業者がグロメット保持部にグロメットをセットする様子を示した図であり、（ｂ）が作業者がコネクタ保持部にコネクタをセットする様子を示した図であり、（ｃ）がグロメット保持部と電線ガイド部とを互いに当接する様子を示した図である。
【図７】図７は、（ｄ）が作業者がグロメットの一対の分岐片を一対のガイドピンによって互いに離間する方向に屈曲した状態で保持する様子を示した図であり、（ｅ）が作業者がコネクタから延びる複数の電線を引き伸ばす様子を示した図である。
【図８】図８は、（ｆ）が作業者が電線ガイド部の２つの下側電線ガイド溝に２本の電線を挿通する様子を示した図であり、（ｇ）が（ｆ）の作業を上方から視た図であり、（ｈ）がグロメットの筒状部側から引き出された２本の電線を示した図である。
【図９】図９は、（ｉ）が作業者が電線ガイド部の２つの上側電線ガイド溝に２本の電線を挿通する様子を示した図であり、（ｊ）がグロメットの筒状部側から引き出された４本の電線を示した図である。
【図１０】図１０は、（ｋ）が作業者がグロメット保持部をコネクタ保持部に向けてスライド移動する様子を示した図であり、（ｌ）がグロメット保持部をコネクタ保持部に向けてスライド移動することによって、グロメット保持部、電線ガイド部、および、コネクタ保持部がスライド方向で隣り合うもの同士当接した状態を示した図であり、（ｍ）が作業者がグロメット保持部、電線ガイド部、および、コネクタ保持部をスライド方向で隣り合うもの同士当接した状態で各電線の弛みをとるために各電線を引っ張っている様子を示した図である。
【図１１】図１１は、（ｎ）がグロメットの一対の分岐片を各ガイドピンから外した後のグロメットの状態を示した図であり、（ｏ）が作業者がグロメット保持部を電線ガイド部から離れるようにスライド移動することによってグロメットをグロメット保持部から外す様子を示した図である。
【図１２】図１２は、（ｐ）が、作業者が電線ガイド部の両側から製品を掴む様子を示した図であり、（ｑ）が作業者が可動式ガイド溝部を動かすことによって、各電線ガイド溝の溝開口から各電線を取り出すことができるようにしている様子を示した図であり、（ｒ）が作業者が電線ガイド部から４本の電線を取り出している様子を示した図である。
【図１３】図１３は、変形例１のグロメット電線挿通冶具の電線ガイド部周辺の斜視図であり、可動式蓋部を各ガイド溝から電線を取り出せるように動かした状態を示した図である。
【図１４】図１４は、変形例２のグロメット電線挿通冶具のグロメットを保持したグロメット保持部周辺の斜視図である。
【発明を実施するための形態】
【００１６】
以下、図面を参照して、本発明に係るグロメット電線挿通冶具の好適な実施例を詳細に説明する。
【実施例】
【００１７】
図１は、本発明の実施例に係るグロメット電線挿通冶具１の斜視図である。図２は、（ａ）がグロメット１００を保持した状態のグロメット保持部２０を電線ガイド部３０側から視た図であり、（ｂ）がグロメット１００を保持したグロメット保持部２０周辺の斜視図である。図３は、グロメット電線挿通冶具１の電線ガイド部３０周辺の斜視図であり、可動式ガイド溝部３３および可動式蓋部３２を各電線ガイド溝３４から電線Ｗを取り出せるように動かした状態を示した図である。図４は、グロメット電線挿通冶具１のコネクタ保持部１０周辺の斜視図である。図５は、グロメット１００の斜視図である。
本発明の実施例に係るグロメット電線挿通冶具１は、作業者がコネクタＣから延びる４本の電線Ｗにグロメット１００を取り付ける作業を補助するものである。
【００１８】
まず、グロメット１００について説明する。
グロメット１００は、汎用のものであり、この実施例では、図５に示すように、円錐状に径が拡大した拡径部１１０と、拡径部１１０の径が小さい側の端部に連接した筒状部１２０とを有する。
【００１９】
拡径部１１０は、コネクタＣに取り付けた４本の電線Ｗに対応した４つの電線挿通孔１１０ａが２行２列になるように並んで形成されている。
また、拡径部１１０は、グロメット１００の周方向の位置決めに用いる位置決め突起１１０ｂを有する。この位置決め突起１１０ｂは、拡径部１１０の外周面に径外方向に突出するように設けている。
【００２０】
筒状部１２０は、開口端から筒内方に向けて互いに対向するように切り込んだ一対のスリット１２０ａ、１２０ａを形成している。この筒状部１２０は、一対のスリット１２０ａ、１２０ａを介して内部を開放することによって電線Ｗを挿通し易くなっている。
【００２１】
次に、グロメット電線挿通冶具１について説明する。
グロメット電線挿通冶具１は、４本の電線Ｗの一端側に設けたコネクタＣを保持するコネクタ保持部１０と、グロメット１００を保持するグロメット保持部２０と、コネクタ保持部１０とグロメット保持部２０との間に配置し、コネクタ保持部１０から延びる複数の電線Ｗをグロメット保持部２０によって保持したグロメット１００内の所定の位置に挿通するようにガイドする電線ガイド部３０と、コネクタ保持部１０と、グロメット保持部２０と、電線ガイド部３０とを、直線状に並べつつ、少なくともグロメット保持部２０と、電線ガイド部３０と、をスライド移動可能に支持するスライド移動支持部４０と、を有する。
【００２２】
コネクタ保持部１０は、合成樹脂等の絶縁材からなるブロック状をなすコネクタ保持本体部１１と、コネクタを嵌め込んで保持するようにコネクタ保持本体部１１に形成した溝であるコネクタ嵌合溝１２と、グロメット保持部２０、電線ガイド部３０、および、コネクタ保持部１０をスライド方向で隣り合うもの同士当接した状態でグロメット１００を位置決めするように、コネクタ保持本体部１１からスライド移動方向に一部を突出するように設けた位置決め当接部１３と、を有する。
【００２３】
コネクタ嵌合溝１２は、コネクタ保持本体部１１の上面にコネクタＣを挿入可能に形成したコネクタ挿入口１２ａと、電線ガイド部３０側の面にコネクタ挿入口１２ａから内部に切り込むように形成することによってコネクタＣに繋がる４本の電線Ｗを挿通する電線挿通口１２ｂと、を設けた溝である。
【００２４】
位置決め当接部１３は、コネクタ保持本体部１１の下部の電線ガイド部３０側の面に突設し、スライド方向に直交する面が当接面１３ａとして電線ガイド部３０に当接するようになっている。
【００２５】
当接面１３ａは、グロメット保持部２０に保持したグロメット１００の位置決めに必要な必要最小限の大きさに調整している。
このため、コネクタ保持部１０と電線ガイド部３０との間に延びる４本の電線Ｗの周りに空間を確保することができ、作業者が４本の電線Ｗを取扱い易くなっている。
なお、位置決め当接部１３は、当接面１３ａを必要最小限の大きさに形成するものに限らず、コネクタ保持本体部１１の電線ガイド部３０側の面の大きな領域を占めるものであっても構わない。
【００２６】
グロメット保持部２０は、合成樹脂等の絶縁材からなるブロック状をなすグロメット保持本体部２１と、グロメット１００を嵌め込んで保持するようにグロメット保持本体部２１に形成した溝であるグロメット嵌合溝２２と、グロメット１００の筒状部１２０を一対のスリット１２０ａ、１２０ａを介して拡げることによって筒状部１２０の内部を開放した状態で保持する一対のガイドピン２３、２３と、を有する。
【００２７】
グロメット嵌合溝２２は、電線ガイド部３０側に電線挿通孔１１０ａを向けてグロメット１００を保持するようにグロメット１００を嵌め込む溝であり、電線ガイド部３０側の壁には、拡径部１１０の端部外周に沿った円弧状の開口２２ａを形成している。
また、グロメット嵌合溝２２は、電線ガイド部３０側の壁に対向する壁に筒状部１２０を引き出すための開口２２ｂを形成している。
このため、グロメット嵌合溝２２は、スライド方向で電線ガイド部３０側の開口２２ａからグロメット１００を引き出すことができるようになっている。
【００２８】
また、グロメット嵌合溝２２は、グロメット１００の位置決め突起１１０ｂを嵌め込むための位置決め溝２２ｃを形成している。
このため、位置決め突起が位置決め溝２２ｃに嵌るようにグロメット１００をグロメット嵌合溝２２に嵌め込むことによって、グロメット１００が所定の姿勢でグロメット保持部２０によって保持されるようになっている。
なお、グロメット嵌合溝２２は、グロメット１００を所定の姿勢で保持することができれば位置決め溝２２ｃを形成しなくてもよい。
【００２９】
一対のガイドピン２３、２３は、グロメット嵌合溝２２の筒状部１２０を引き出すための開口２２ｂの両側部周辺に立設している。
各ガイドピン２３、２３は、筒状部１２０の一対のスリット１２０ａ、１２０ａによって二股に分岐した各分岐片１２０ｂ、１２０ｂを互いに離間する方向に屈曲した状態で保持するようになっている。
【００３０】
電線ガイド部３０は、スライド移動方向に沿って直線状に延びることによって４本の電線Ｗをグロメット１００に挿通するようにガイドする４つの電線ガイド溝３４を有する。
【００３１】
この電線ガイド部３０は、電線ガイド溝３４を形成した電線ガイド本体部３１と、電線ガイド溝３４の溝開口３４ａを開閉するように可動する可動式蓋部３２と、電線ガイド本体部３１に可動可能に取り付け、電線ガイド本体部３１との間に配置した板状の可動式蓋部３２に重なる面に電線ガイド溝３４を形成した可動式ガイド溝部３３と、を有し、可動式ガイド溝部３３とともに可動式蓋部３２を動かすことによって、可動式ガイド溝部３３および電線ガイド本体部３１にそれぞれ形成した電線ガイド溝３４の溝開口３４ａを開閉する。
【００３２】
電線ガイド本体部３１は、合成樹脂等の絶縁材からなるブロック状をなし、グロメット保持部２０によって保持したグロメット１００の下側の２つの電線挿通孔１１０ａに対応した位置に２本の電線Ｗを挿通するようにガイドする２つの電線ガイド溝３４（以下、下側電線ガイド溝という。）を形成している。
【００３３】
可動式蓋部３２は、図３に示すように、板状をなし、電線ガイド溝３４の溝開口３４ａに蓋をするとともに、電線ガイド溝３４内の電線Ｗを溝開口３４ａから取り出す場合に溝開口３４ａを開けるように可動することができるようになっている。
この可動式蓋部３２は、電線ガイド本体部３１の後述する蝶番３５を設ける側の角を支点として可動式ガイド溝部３３に板端を押圧されることによって、下側電線ガイド溝３４の溝開口３４ａを開放するように傾く。
【００３４】
可動式ガイド溝部３３は、可動式蓋部３２の可動方向と同方向に可動するように蝶番３５によって電線ガイド本体部３１と連結している。
この可動式ガイド溝部３３は、電線ガイド本体部３１との間に可動式蓋部３２を挟み込むことによって、可動式蓋部３２の下側電線ガイド溝３４の溝開口３４ａを塞ぐ面とは反対側の面によって蓋をすることができる２つの電線ガイド溝３４（以下、上側電線ガイド溝という。）を形成している。
この２つの上側電線ガイド溝３４は、電線ガイド本体部３１の可動式蓋部３２に当接する側の面に形成し、グロメット保持部２０によって保持したグロメット１００の上側の２つの電線挿通孔１１０ａに対応した位置に電線Ｗを挿通するようにガイドする。
【００３５】
スライド移動支持部４０は、基台４１と、基台４１上に直線状、かつ、平行に並ぶように設けた一対のガイドレール４２、４２と、を有する。
このスライド移動支持部４０は、一対のガイドレール４２、４２に、コネクタ保持部１０、グロメット保持部２０、および、電線ガイド部３０のそれぞれの下部を嵌合することによって、コネクタ保持部１０、グロメット保持部２０、および、電線ガイド部３０のそれぞれが一対のガイドレール４２、４２に沿ってスライド移動できるようにしている。
なお、この実施例では、スライド移動支持部４０は、コネクタ保持部１０を一対のガイドレール４２、４２の端部で固定している。
すなわち、スライド移動支持部４０は、コネクタ保持部１０、グロメット保持部２０、および、電線ガイド部３０のうち、グロメット保持部２０と、電線ガイド部３０と、をスライド移動可能に支持している。
【００３６】
次に、図６−図１２を用いて、グロメット電線挿通冶具１によってコネクタＣから延びる４本の電線Ｗにグロメット１００を取り付ける作業手順を説明する。
図６は、（ａ）が作業者がグロメット保持部２０にグロメット１００をセットする様子を示した図であり、（ｂ）が作業者がコネクタ保持部１０にコネクタＣをセットする様子を示した図であり、（ｃ）がグロメット保持部２０と電線ガイド部３０とを互いに当接する様子を示した図である。図７は、（ｄ）が作業者がグロメット１００の一対の分岐片１２０ｂ、１２０ｂを一対のガイドピン２３、２３によって互いに離間する方向に屈曲した状態で保持する様子を示した図であり、（ｅ）が作業者がコネクタＣから延びる複数の電線Ｗを引き伸ばす様子を示した図である。図８は、（ｆ）が作業者が電線ガイド部の２つの下側電線ガイド溝に２本の電線Ｗを挿通する様子を示した図であり、（ｇ）が（ｆ）の作業を上方から視た図であり、（ｈ）がグロメット１００の筒状部１２０側から引き出された２本の電線Ｗを示した図である。図９は、（ｉ）が作業者が電線ガイド部３０の２つの上側電線ガイド溝３４に２本の電線Ｗを挿通する様子を示した図であり、（ｊ）がグロメット１００の筒状部１２０側から引き出された４本の電線Ｗを示した図である。図１０は、（ｋ）が作業者がグロメット保持部２０をコネクタ保持部１０に向けてスライド移動する様子を示した図であり、（ｌ）がグロメット保持部２０をコネクタ保持部１０に向けてスライド移動することによって、グロメット保持部２０、電線ガイド部３０、および、コネクタ保持部１０がスライド方向で隣り合うもの同士当接した状態を示した図であり、（ｍ）が作業者がグロメット保持部２０、電線ガイド部３０、および、コネクタ保持部１０をスライド方向で隣り合うもの同士当接した状態で各電線Ｗの弛みをとるために各電線Ｗを引っ張っている様子を示した図である。図１１は、（ｎ）がグロメット１００の一対の分岐片１２０ｂ、１２０ｂを各ガイドピン２３、２３から外した後のグロメット１００の状態を示した図であり、（ｏ）が作業者がグロメット保持部２０を電線ガイド部３０から離れるようにスライド移動することによってグロメット１００をグロメット保持部２０から外す様子を示した図である。図１２は、（ｐ）が、作業者が電線ガイド部３０の両側から製品を掴む様子を示した図であり、（ｑ）が作業者が可動式ガイド溝部３３を動かすことによって、各電線ガイド溝３４の溝開口３４ａから各電線Ｗを取り出すことができるようにしている様子を示した図であり、（ｒ）が作業者が電線ガイド部３０から４本の電線Ｗを取り出している様子を示した図である。
【００３７】
まず、作業者は、グロメット保持部２０にグロメット１００をセットする（図６（ａ）参照）。
ここで、作業者は、グロメット１００の位置決め突起１１０ｂが位置決め溝２２ｃに嵌るようにグロメット１００をグロメット嵌合溝２２に嵌め込む。
これにより、グロメット１００がグロメット保持部２０によって所定の姿勢で保持される。
【００３８】
その後、作業者は、コネクタ保持部１０にコネクタＣをセットする（図６（ｂ）参照）。
【００３９】
その後、作業者は、グロメット保持部２０と電線ガイド部３０とを互いに当接する（図６（ｃ）参照）。より具体的には、作業者は、電線ガイド部３０をグロメット保持部２０に向けて、グロメット保持部２０に当接するまでスライド移動する。
これにより、グロメット保持部２０によって保持されたグロメット１００の各電線挿通孔１１０ａに電線ガイド部３０の対応する各電線ガイド溝３４が近接するように配置される。
【００４０】
その後、作業者は、グロメット１００の一対の分岐片１２０ｂ、１２０ｂを一対のガイドピン２３、２３によって互いに離間する方向に屈曲した状態で保持する（図７（ｄ）参照）。これにより、グロメット１００の筒状部１２０から電線Ｗを露出した状態でグロメット１００に電線Ｗを挿通することができるため、作業者はグロメット１００に４本の電線Ｗを容易に挿通することができる。
【００４１】
その後、作業者は、コネクタＣから延びる４本の電線Ｗを引き伸ばす（図７（ｅ）参照）。より具体的には、作業者は、４本の電線Ｗをグロメット保持部２０の周辺まで伸ばす。このとき、各電線Ｗが交差しないように各電線Ｗを伸ばす。なお、この実施例では、作業者は、下側電線ガイド溝３４に挿通する２本の電線Ｗと、上側電線ガイド溝３４に挿通する２本の電線Ｗとが離れるように各電線Ｗを引き伸ばす。
【００４２】
その後、作業者は、電線ガイド部３０の下側電線ガイド溝３４に２本の電線Ｗを挿通する（図８（ｆ）、（ｇ）、（ｈ）参照）。ここで、２つの下側電線ガイド溝３４は、電線ガイド本体部３１に形成された溝であり、可動式蓋部３２によって溝開口３４ａを塞がれている。このため、２本の電線Ｗは各下側電線ガイド溝３４から外れることなくグロメット１００の各電線挿通孔１１０ａに誘導される。
なお、２本の電線Ｗは、図８（ｈ）に示すように、作業者が各電線Ｗを掴める長さで筒状部１２０側から引き出されるようにグロメット１００に挿通する。
【００４３】
その後、作業者は、電線ガイド部３０の２つの上側電線ガイド溝３４に２本の電線Ｗを挿通する（図９（ｉ）、（ｊ）参照）。
ここで、２つの上側電線ガイド溝３４は、可動式ガイド溝部３３に形成された溝であり、可動式蓋部３２によって溝開口３４ａを塞がれている。このため、２本の電線Ｗは各上側電線ガイド溝３４から外れることなくグロメット１００の各電線挿通孔１１０ａに誘導される。
なお、２本の電線Ｗは、図９（ｊ）に示すように、下側電線ガイド溝３４に挿通した２本の電線Ｗと同様に、作業者が各電線Ｗを掴める長さで筒状部１２０側から引き出されるようにグロメット１００に挿通する。
【００４４】
その後、作業者は、グロメット保持部２０をコネクタ保持部１０に向けてスライド移動し、グロメット保持部２０、電線ガイド部３０、および、コネクタ保持部１０をスライド方向で隣り合うもの同士当接させる（図１０（ｋ）、（ｌ）参照）。
ここで、グロメット保持部２０をコネクタ保持部１０に向けてスライド移動すると、グロメット保持部２０に押されながら電線ガイド部３０も一緒にコネクタ保持部１０に向けてスライド移動する。
また、作業者は、電線ガイド部３０がコネクタ保持部１０の位置決め当接部１３に当接するまでグロメット保持部２０をコネクタ保持部１０に向けてスライド移動する。
また、電線ガイド部３０をコネクタ保持部１０の位置決め当接部１３に当接すると、グロメット保持部２０が位置決めされて配置される。これにより、グロメット１００が４本の電線Ｗに対して位置決め配置される。
なお、４本の電線Ｗが電線ガイド部３０の各電線ガイド溝３４に収まった状態でグロメット保持部２０と、電線ガイド部３０とがスライド移動することによって、４本の電線Ｗを直線状、かつ、所定の位置に保持した状態を維持することができるので、４本の電線Ｗが捩れたり、絡まったりしない。
【００４５】
その後、作業者は、グロメット保持部２０、電線ガイド部３０、および、コネクタ保持部１０をスライド方向で隣り合うもの同士当接した状態で各電線Ｗの弛みをとるために各電線Ｗを引っ張る（図１０（ｍ）参照）。
【００４６】
その後、作業者は、グロメット１００の一対の分岐片１２０ｂ、１２０ｂを各ガイドピン２３、２３から外す（図１１（ｎ）参照）。
ここで、グロメット１００の筒状部１２０が、各分岐片１２０ｂ、１２０ｂを一対のスリット１２０ａ、１２０ａの間隔を小さくするようにして弾性的に復元することによって、４本の電線Ｗが筒状部１２０内に収まる。
【００４７】
その後、作業者は、グロメット保持部２０を電線ガイド部３０から離れるようにスライド移動することによって、グロメット１００をグロメット保持部２０から外す（図１１（ｏ）参照）。
ここで、グロメット保持部２０を電線ガイド部３０から離れるようにスライド移動すると、グロメット１００はグロメット嵌合溝２２の電線ガイド部３０側の壁に形成した開口２２ａから引き出される。
このようにしてグロメット保持部２０を電線ガイド部３０から離れるようにスライド移動するだけで、グロメット１００がグロメット嵌合溝２２の電線ガイド部３０側の壁に形成した開口２２ａから自然に引き出されるようになっているのでグロメット１００の取り付け位置がズレ難い。
また、電線ガイド部３０の各電線ガイド溝３４から４本の電線Ｗを外す前に、グロメット保持部２０からグロメット１００を外すことによって、グロメット１００の取り付け位置が後の作業によってズレることを防止できる。
【００４８】
その後、作業者は、電線ガイド部３０の両側から製品を掴む（図１２（ｐ）参照）。これにより、４本の電線Ｗに負荷をかけることなく各電線Ｗを各電線ガイド溝３４から外すことができる。
【００４９】
その後、作業者は、可動式ガイド溝部３３を動かすことによって、各電線ガイド溝３４の溝開口３４ａから各電線Ｗを取り出すことができるようにする（図１２（ｑ）参照）。
ここで、作業者は、可動式ガイド溝部３３を蝶番３５の軸を中心にして回動する。すると、可動式蓋部３２も可動式ガイド溝部３３と間隔を空けつつ同方向に回動することによって、電線ガイド本体部３１の２つの下側電線ガイド溝３４と、可動式ガイド溝部３３の２つの上側電線ガイド溝３４のそれぞれと可動式蓋部３２との間に隙間ができる。これによって、可動式蓋部３２によって溝開口３４ａを塞がれていた各電線ガイド溝３４から各電線Ｗを外すことができる状態になる。
【００５０】
その後、作業者は、電線ガイド部３０から４本の電線Ｗを取り出す（図１２（ｒ）参照）。
【００５１】
最後に、作業者は、コネクタ保持部１０からコネクタＣを外すことによってこの作業を完了する。
【００５２】
本発明の実施例に係るグロメット電線挿通冶具１は、グロメット保持部２０を電線ガイド部３０とともに、グロメット保持部２０、電線ガイド部３０、および、コネクタ保持部１０をスライド方向で隣り合うもの同士当接した状態になるまでコネクタ保持部１０に向けてスライド移動することによって、グロメット１００を位置決め配置することができ、しかも、グロメット保持部２０とともに電線ガイド部３０を一緒にスライド移動することによって、４本の電線Ｗを直線状、かつ、所定の位置に保持した状態を維持することができるので、４本の電線Ｗが捩れることなくグロメット１００を容易に位置決め配置することができる。
【００５３】
また、本発明の実施例に係るグロメット電線挿通冶具１は、位置決め当接部１３をコネクタ保持部１０から一部を突出するように設けているので、コネクタ保持部１０と電線ガイド部３０との間に延びる４本の電線Ｗの周りに空間を確保することができ、作業者が４本の電線Ｗを取扱い易くすることができる。
【００５４】
また、本発明の実施例に係るグロメット電線挿通冶具１は、可動式蓋部３２によって溝開口３４ａを閉じることによって電線ガイド溝３４から電線Ｗが外れることを阻止することができ、溝開口３４ａを開けるように可動式蓋部３２を動かすことによって、電線Ｗを電線ガイド溝３４内から容易に取り出すことができる。
【００５５】
また、本発明の実施例に係るグロメット電線挿通冶具１は、可動式蓋部３２の両面を使って電線ガイド溝３４の溝開口３４ａを開閉することができるので、電線ガイド溝３４を行列配置することができ、結果的に、コネクタＣに行列配置で設けた複数の電線Ｗを電線ガイド溝３４によってグロメット１００内の所定の位置に挿通することができる。
【００５６】
（変形例１）
次に、図１３を用いて、本発明の実施例に係るグロメット電線挿通冶具の変形例１について説明する。
図１３は、変形例１のグロメット電線挿通冶具２の電線ガイド部５０周辺の斜視図であり、可動式蓋部５２を各電線ガイド溝３４から電線Ｗを取り出せるように動かした状態を示した図である。
この変形例１のグロメット電線挿通冶具２は、電線ガイド部５０がコネクタＣから延びる２本の電線Ｗをガイドするようになっている点で、実施例のグロメット電線挿通冶具１と異なる。
なお、その他の構成は実施例と同様であり、実施例と同一構成部分には同一符号を付している。
【００５７】
このグロメット電線挿通冶具２は、可動式蓋部５２に電線ガイド本体部３１に形成した２つの電線ガイド溝３４の溝開口３４ａを塞ぐように各電線ガイド溝３４に対応した溝を形成している。
【００５８】
この可動式蓋部５２は、蝶番３５によって回動可能に電線ガイド本体部３１に取付けられている。
【００５９】
この変形例１のグロメット電線挿通冶具２は、グロメット保持部２０を電線ガイド部３０とともに、グロメット保持部２０、電線ガイド部５０、および、コネクタ保持部１０をスライド方向で隣り合うもの同士当接した状態になるまでコネクタ保持部１０に向けてスライド移動することによって、グロメット１００を位置決め配置することができ、しかも、グロメット保持部２０とともに電線ガイド部５０を一緒にスライド移動することによって、２本の電線Ｗを直線状、かつ、所定の位置に保持した状態を維持することができるので、実施例のグロメット電線挿通冶具１と同様に、複数の電線Ｗが捩れることなくグロメット１００を容易に位置決め配置することができる。
【００６０】
（変形例２）
次に、図１４を用いて、本発明の実施例に係るグロメット電線挿通冶具１の変形例２について説明する。
図１４は、変形例２のグロメット電線挿通冶具３のグロメット２００を保持したグロメット保持部６０周辺の斜視図である。
この変形例２のグロメット電線挿通冶具３は、グロメット保持部６０が一対のガイドピン２３、２３有しない点で、実施例のグロメット電線挿通冶具１と異なる。
なお、その他の構成は実施例と同様であり、実施例と同一構成部分には同一符号を付している。
【００６１】
この変形例２では、グロメット保持部６０によって保持するグロメット２００の筒状部２２０の長さが短く、グロメット１００に複数の電線Ｗを容易に挿通することができるため、グロメット１００には一対のスリット１２０ａ、１２０ａが形成されていない。
このため、グロメット電線挿通冶具３は、グロメット２００を一対のガイドピン２３、２３によって内部を開放するように保持する必要がなく、結果的に、一対のガイドピン２３、２３を有しない構造になっている。
【００６２】
この変形例２のグロメット電線挿通冶具３は、実施例のグロメット電線挿通冶具１と同様の効果を奏することができる。
【００６３】
なお、本発明の実施例、および変形例１、２に係るグロメット電線挿通冶具１、２、３は、位置決め当接部１３をコネクタ保持部１０に設けるものを例示したが、これに限らず、位置決め当接部１３を電線ガイド部３０、５０に設けるようにしてもよい。
【００６４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６５】
１、２、３    グロメット電線挿通冶具
１０          コネクタ保持部
１１          コネクタ保持本体部
１２          コネクタ嵌合溝
１２ａ        コネクタ挿入口
１２ｂ        電線挿通口
１３          位置決め当接部
１３ａ        当接面
２０、６０    グロメット保持部
２１          グロメット保持本体部
２２          グロメット嵌合溝
２２ａ、２２ｂ  開口
２２ｃ        位置決め溝
２３          ガイドピン
３０、５０    電線ガイド部
３１          電線ガイド本体部
３２、５２    可動式蓋部
３３          可動式ガイド溝部
３４          電線ガイド溝
３４ａ        溝開口
３５          蝶番
４０          スライド移動支持部
４１          基台
４２          ガイドレール
１００、２００  グロメット
１１０        拡径部
１１０ａ      電線挿通孔
１１０ｂ      位置決め突起
１２０、２２０  筒状部
１２０ａ    スリット
１２０ｂ    分岐片
Ｃ          コネクタ
Ｗ          電線
【図１】
0006553486.tif 000002
【図２】
0006553486.tif 000003
【図３】
0006553486.tif 000004
【図４】
0006553486.tif 000005
【図５】
0006553486.tif 000006
【図６】
0006553486.tif 000007
【図７】
0006553486.tif 000008
【図８】
0006553486.tif 000009
【図９】
0006553486.tif 000010
【図１０】
0006553486.tif 000011
【図１１】
0006553486.tif 000012
【図１２】
0006553486.tif 000013
【図１３】
0006553486.tif 000014
【図１４】
0006553486.tif 000015